(57)【特許請求の範囲】
【請求項１】
照度を検出する照明装置用照度センサと、
前記照明装置用照度センサの検出結果に基づき照度を認識し、その照度が日没及び日出の判断基準となる暗明検出用しきい値を超えているとき灯具を消灯するとともに、その照度が暗明検出用しきい値以下となったときから、日没から日出までの時間に基づき設定される点灯時間に亘って前記照明装置用照度センサの検出結果に関わらず灯具を点灯可能とし、その点灯時間が経過したときに認識した照度が前記暗明検出用しきい値未満である旨判断すると、次回に照度が前記暗明検出用しきい値以下となったときの点灯時間を第１の調整時間だけ長く設定し、前記点灯時間が経過したときに認識した照度が前記暗明検出用しきい値を超えている旨判断すると、次回に照度が前記暗明検出用しきい値以下となったときの点灯時間を第２の調整時間だけ短く設定する照明装置用制御装置と、を備えた
ことを特徴とする照明装置。
【請求項２】
請求項１に記載の照明装置において、
前記照明装置用制御装置は、前記点灯時間が経過したときに認識した照度が前記暗明検出用しきい値未満である旨判断すると、その判断したときから、前記照度が前記暗明検出用しきい値に達するまでの時間を計測し、その時間を前記第１の調整時間とする
ことを特徴とする照明装置。
【請求項３】
請求項１又は２に記載の照明装置において、
前記照明装置用制御装置は、前記照度が前記暗明検出用しきい値以下となったときから再び日没となり得ない時間に設定される日没不判定時間を経過するまでの間に、前記暗明検出用しきい値を超える値の照度が再び前記暗明検出用しきい値以下となっても、前記点灯時間に亘って点灯可能としない
ことを特徴とする照明装置。
【請求項４】
請求項１〜３の何れか一項に記載の照明装置と、前記照明装置及びそれに電力を供給する電源間に設けられる光電式点滅器とを備えた照明システムにおいて、
前記照明装置用制御装置は、設定した前記点灯時間と、前記点灯時間の経過時の照度が前記暗明検出用しきい値未満であるか否かに係る情報とを記憶するとともに、前記照明装置への給電が遮断されたときにもその記憶を保持する不揮発性のメモリを備え、
前記光電式点滅器は、
照度を検出する点滅器用照度センサと、
前記電源から前記照明装置への電力供給が可能な給電状態、及び同電力供給を遮断した遮断状態の間で状態を切り替えるスイッチと、
前記点滅器用照度センサの検出結果に基づき照度を認識し、その照度が日没検出用しきい値以下となったと判断したとき、前記スイッチを通じて前記給電状態とし、前記照度が日出検出用しきい値以上となったと判断したとき、前記スイッチを通じて前記遮断状態とする点滅器用制御装置と、を備えた
ことを特徴とする照明システム。
【発明の詳細な説明】
【技術分野】
【０００１】
この発明は、照明装置及びそれを備えた照明システムに関する。
【背景技術】
【０００２】
従来、照度レベルを検出する照度センサを利用して、検出した照度レベルが所定値以下であるときのみ夜間であるとして灯具を点灯させる照明装置が知られている。この種の照明装置においては、夜間にも関わらず、照度センサが車のヘッドライト等からの外乱光を受けることで、照度センサが検出する照度レベルが所定値を超えて灯具が消灯されるおそれがあった。これを解決するべく、例えば、照明装置は、外乱光等による短時間の照度レベルの上昇を無視する構成を備えているものがある（例えば、特許文献１参照）。
【０００３】
また、照明装置は赤外線等を通じて人又は車の接近を検出する近接センサを備えたものもある（例えば、特許文献２参照）。この種の照明装置は、照度レベルに関わらず、近接センサを通じて人又は車の接近を検出した場合には灯具を点灯する。
【０００４】
例えば、省エネルギの観点から上記特許文献１及び２を組み合わせることも検討されている。照明装置は、照度レベルが所定値以下であるときであって近接センサを通じて人又は車の接近が検出されないとき消灯状態又は調光点灯状態（全点灯状態より暗い照度で点灯している状態）として、人又は車の接近が検出されたとき全点灯状態とする。
【先行技術文献】
【特許文献】
【０００５】
【特許文献１】実開昭６２−１３１３９６号公報
【特許文献２】特開平１０−２８３８０７号公報
【発明の概要】
【発明が解決しようとする課題】
【０００６】
上記特許文献１に記載の照明装置においては、比較的に短い時間に亘る外乱光に対しては誤って消灯されることが抑制されるものの、照度センサが長時間に亘って外乱光を受けた場合には夜間であっても日出時間であるとして消灯されるおそれがある。外乱光がなくなった場合には、照度レベルが所定値以下となることで再び灯具が点灯される。このような夜間における照明装置の誤動作が懸念されていた。この懸念に対して、照度レベルが所定値以下となる日没から日出までの一定時間に亘って照度レベルに関わらず消灯を継続する構成も考えられるものの、この構成においては季節や天気に応じて変化する日没及び日出の時間に対応した上記一定時間を設定するのが困難であった。
【０００７】
また、上記特許文献１及び２を組み合わせた構成においては、人又は車の接近が検出されて灯具が全点灯されたときにその灯具からの光が外乱光と同様に作用して、上記同様の誤動作が懸念される。
【０００８】
この発明は、こうした実情に鑑みてなされたものであり、その目的は、より日没及び日出の時間に応じた点灯制御が可能となる照明装置及びそれを備えた照明システムを提供することにある。
【課題を解決するための手段】
【０００９】
以下、上記目的を達成するための手段及びその作用効果について説明する。
請求項１に記載の発明は、照度を検出する照明装置用照度センサと、前記照明装置用照度センサの検出結果に基づき照度を認識し、その照度が日没及び日出の判断基準となる暗明検出用しきい値を超えているとき灯具を消灯するとともに、その照度が暗明検出用しきい値以下となったときから、日没から日出までの時間に基づき設定される点灯時間に亘って前記照明装置用照度センサの検出結果に関わらず灯具を点灯可能とし、その点灯時間が経過したときに認識した照度が前記暗明検出用しきい値未満である旨判断すると、次回に照度が前記暗明検出用しきい値以下となったときの点灯時間を第１の調整時間だけ長く設定し、前記点灯時間が経過したときに認識した照度が前記暗明検出用しきい値を超えている旨判断すると、次回に照度が前記暗明検出用しきい値以下となったときの点灯時間を第２の調整時間だけ短く設定する照明装置用制御装置と、を備えたことをその要旨としている。
【００１０】
同構成によれば、照明装置用制御装置は、照度が暗明検出用しきい値以下となったときから点灯時間に亘って照度センサの検出結果に関わらず灯具を点灯する。よって、点灯時間、すなわち日没から日出までの夜間において、照度センサが例えば車のヘッドライト等の外乱光を受けた場合であっても消灯されることが防止される。
【００１１】
また、照明装置用制御装置は、点灯時間が経過したときに認識した照度が暗明検出用しきい値未満である旨判断すると、今回の点灯時間が実際の日没から日出までの時間に対して短いとして、次回に照度が暗明検出用しきい値以下となったとき（日没時）からの点灯時間を第１の調整時間だけ長く設定する。照明装置用制御装置は、点灯時間が経過したときに認識した照度が暗明検出用しきい値を超えている旨判断すると、今回の点灯時間が実際の日没から日出までの時間に対して長いとして、次回に照度が暗明検出用しきい値以下となったときからの点灯時間を第２の調整時間だけ短く設定する。これにより、季節や天気に応じて変化する日没から日出までの時間に応じた点灯時間が設定される。以上により、より日没及び日出の時間に応じた点灯制御が可能となる。
【００１２】
請求項２に記載の発明は、請求項１に記載の照明装置において、前記照明装置用制御装置は、前記点灯時間が経過したときに認識した照度が前記暗明検出用しきい値未満である旨判断すると、その判断したときから、前記照度が前記暗明検出用しきい値に達するまでの時間を計測し、その時間を前記第１の調整時間とすることをその要旨としている。
【００１３】
同構成によれば、点灯時間が実際の日没から日出までの時間に対して短いことによって、その点灯時間が経過したときに認識した照度が暗明検出用しきい値未満である場合には、点灯時間が経過したときから照度が前記暗明検出用しきい値に達するまで（実際の日出まで）の第１の調整時間を計測する。次回の点灯時間を、今回の点灯時間に、当該計測した第１の調整時間を足し合わせた時間とすることで、次回の点灯時間の終了時刻を日出の時間に合わせることができる。
【００１４】
請求項３に記載の発明は、請求項１又は２に記載の照明装置において、前記照明装置用制御装置は、前記照度が前記暗明検出用しきい値以下となったときから再び日没となり得ない時間に設定される日没不判定時間を経過するまでの間に、前記暗明検出用しきい値を超える値の照度が再び前記暗明検出用しきい値以下となっても、前記点灯時間に亘って点灯可能としないことをその要旨としている。
【００１５】
同構成によれば、照明装置用制御装置は、日没に伴い照度が暗明検出用しきい値以下となった場合には、そのときから日没不判定時間を経過するまで、たとえ照度が再度暗明検出用しきい値以下となっても日没ではないとして、点灯可能としない。よって、照明装置の誤点灯が抑制される。
【００１６】
請求項４に記載の発明は、請求項１〜３の何れか一項に記載の照明装置と、前記照明装置及びそれに電力を供給する電源間に設けられる光電式点滅器とを備えた照明システムにおいて、前記照明装置用制御装置は、設定した前記点灯時間と、前記点灯時間の経過時の照度が前記暗明検出用しきい値未満であるか否かに係る情報とを記憶するとともに、前記照明装置への給電が遮断されたときにもその記憶を保持する不揮発性のメモリを備え、前記光電式点滅器は、照度を検出する点滅器用照度センサと、前記電源から前記照明装置への電力供給が可能な給電状態、及び同電力供給を遮断した遮断状態の間で状態を切り替えるスイッチと、前記点滅器用照度センサの検出結果に基づき照度を認識し、その照度が日没検出用しきい値以下となったと判断したとき、前記スイッチを通じて前記給電状態とし、前記照度が日出検出用しきい値以上となったと判断したとき、前記スイッチを通じて前記遮断状態とする点滅器用制御装置と、を備えたことをその要旨としている。
【００１７】
同構成によれば、一般的な光電式点滅器を電源及び照明装置間に設けた場合であっても、光電式点滅器のスイッチが給電状態とされる期間においては照明装置を動作させることができる。特に、不揮発性のメモリに、設定された点灯時間と、点灯時間の経過時の照度が暗明検出用しきい値未満であるか否かに係る情報とが記憶されることで、光電式点滅器を通じて照明装置への給電が遮断された場合であっても、点灯時間及び当該情報がメモリに保持される。よって、光電式点滅器を通じて照明装置への給電が再開された場合には、照明装置は上記と同様に日没及び日出の時間に応じた点灯時間を設定できる。
【発明の効果】
【００１８】
本発明によれば、照明装置及びそれを備えた照明システムにおいて、より日没及び日出の時間に応じて点灯制御することができる。
【図面の簡単な説明】
【００１９】
【図１】第１の実施形態における照明装置の構成を示すブロック図。
【図２】第１の実施形態における（ａ），（ｂ）は照度レベルと照明用制御装置の制御内容とを示したグラフ。
【図３】第２の実施形態における照明システムの構成を示すブロック図。
【図４】第２の実施形態における（ａ），（ｂ）は照度レベルと照明用制御装置の制御内容とを示したグラフ。
【図５】他の実施形態における照度レベルと各種しきい値の設定態様を示したグラフ。
【図６】他の実施形態における照度レベルと各種しきい値の設定態様を示したグラフ。
【発明を実施するための形態】
【００２０】
（第１の実施形態）
以下、本発明にかかる照明装置を具体化した第１の実施形態について図１及び図２を参照して説明する。
【００２１】
図１に示すように、屋外用の照明装置１０は、照明用制御装置１１と、灯具１２と、照度センサ１３と、電源装置１５とを備える。
照明用制御装置１１は、メモリ１１ａ及び複数のタイマ１１ｂ１，１１ｂ２，１１ｂ３を備える。このメモリ１１ａには、日没及び日出を判定する暗明検出用しきい値Ｔｈ１、灯具１２が点灯される点灯時間Ｔｎ（ｎは自然数）、点灯時間Ｔｎを調整するための調整時間Ｔα，Ｔβ、調整時間Ｔαの長さ変更の際に利用されるタイマフラグ（「０」又は「１」の何れか）、及び日没判定を実行しない日没不判定時間Ｔｃが記憶されている。
【００２２】
本例では、メモリ１１ａは、データの書き換えが可能であるＲＡＭ（Random Access Memory）及び読み取り専用のＲＯＭ（Read Only Memory）からなる。変数である暗明検出用しきい値Ｔｈ１、点灯時間Ｔｎ、タイマフラグ及び調整時間ＴαはＲＡＭに記憶され、定数である調整時間Ｔβ及び日没不判定時間ＴｃはＲＯＭに記憶される。
【００２３】
照度センサ１３は、周囲の照度レベルＬｓを検出し、その検出結果を照明用制御装置１１に出力する。
以下、照明用制御装置１１による灯具１２の点灯制御について図２（ａ），（ｂ）のグラフを参照しつつ詳細に説明する。図２における波形は照度レベルＬｓの増減を示すものであって、一周期が一日に相当する。
【００２４】
図２（ａ）に示すように、照明用制御装置１１は、時刻ｔａ１において照明装置１０の電源がオン状態にされると、初期設定を行う。具体的には、照明用制御装置１１は、調整時間Ｔα及びタイマフラグを初期値である「０」に設定し、点灯時間Ｔｎを点灯時間Ｔ０に設定する。設定された各情報はメモリ１１ａのＲＡＭに上書きされる。この点灯時間Ｔ０は、例えば、灯具１２の点灯が必要となる日没から日出までの平均的な時間より短く設定される。
【００２５】
照明用制御装置１１は、初期設定後に照度センサ１３からの検出結果に基づき照度レベルＬｓを認識し、その照度レベルＬｓが暗明検出用しきい値Ｔｈ１を超えたと判断したとき灯具１２の消灯状態を維持する。
【００２６】
照明用制御装置１１は、時刻ｔａ１以降、一定周期毎に照度センサ１３を通じて、照度レベルＬｓが暗明検出用しきい値Ｔｈ１以下となるか否かを判断する。照明用制御装置１１は、時刻ｔａ２において、照度レベルＬｓが暗明検出用しきい値Ｔｈ１以下となったと判断（日没判定）すると、以下の（ａ）〜（ｄ）の制御を順に実行する。
【００２７】
（ａ）灯具１２を点灯する。
（ｂ）メモリ１１ａに記憶される点灯時間Ｔ０に基づき、新たな点灯時間Ｔ１を算出する。
【００２８】
具体的には、タイマフラグが「０」であれば、記憶される点灯時間Ｔｎに調整時間Ｔαを足し合わせることで新たな点灯時間Ｔｎを算出する。また、タイマフラグが「１」であれば、記憶される点灯時間Ｔｎから調整時間Ｔβを差し引くことで新たな点灯時間Ｔｎを算出する。時刻ｔａ２においては、タイマフラグが初期値の「０」であるため、新たな点灯時間Ｔ１を算出するために、点灯時間Ｔ０に調整時間Ｔαを足し合わせるものの、調整時間Ｔαが初期値の「０」であるため、結果的に、新たな点灯時間Ｔ１は、点灯時間Ｔ０と同一となる。そして、タイマ１１ｂ１を通じて時刻ｔａ２からの経過時間の計測を開始する。
【００２９】
（ｃ）タイマ１１ｂ３を通じて時間（日没不判定時間Ｔｃ）の計測を開始する。
（ｄ）メモリ１１ａに記憶されるタイマフラグを「０」から「１」とする。
照明用制御装置１１は、時刻ｔａ２からの経過時間が点灯時間Ｔ１に達するまでは照度レベルＬｓを認識せず、計測時間が点灯時間Ｔ１に達したとき（時刻ｔａ３）、以下の（ｅ）〜（ｇ）の制御を順に実行する。
【００３０】
（ｅ）灯具１２を消灯する。
（ｆ）照度センサ１３を通じて照度レベルＬｓを認識し、その照度レベルＬｓが暗明検出用しきい値Ｔｈ１以上であるか否かを判断する。時刻ｔａ３においては、照度レベルＬｓが暗明検出用しきい値Ｔｈ１未満である旨判断すると、メモリ１１ａに記憶されるタイマフラグを「１」から「０」とする。
【００３１】
（ｇ）タイマ１１ｂ２を通じて調整時間Ｔαの計測を開始する。
照明用制御装置１１は、時刻ｔａ３以降、一定周期毎に照度センサ１３を通じて照度レベルＬｓが暗明検出用しきい値Ｔｈ１以上となるか否かを判断する。照明用制御装置１１は、照度レベルＬｓが暗明検出用しきい値Ｔｈ１に達したと判断したとき（時刻ｔａ４）、タイマ１１ｂ２を通じて調整時間Ｔαの計測を終了する。この調整時間Ｔαは、点灯時間Ｔｎが経過したときから日出までの時間となる。ただし、調整時間Ｔαが８時間を超える場合は８時間を最大とする。照明用制御装置１１は、計測した調整時間Ｔαをメモリ１１ａに上書きする。これにより、調整時間Ｔαは初期値「０」から一定時間となる。その後、照明用制御装置１１は、タイマ１１ｂ２をリセットする。
【００３２】
照明用制御装置１１は、時刻ｔａ４以降、タイマ１１ｂ３を通じた計測時間が日没不判定時間Ｔｃに達するまで、照度レベルＬｓを認識しない。すなわち、照明用制御装置１１は、時刻ｔａ４からの経過時間が日没不判定時間Ｔｃに達するまでは、暗明検出用しきい値Ｔｈ１を超える照度レベルＬｓが暗明検出用しきい値Ｔｈ１以下となった場合であっても、日没ではないとして上記（ａ）〜（ｄ）の制御を行うことはない。ここで、日没不判定時間Ｔｃは、前回の日没判定時から鑑みて日没となり得ない時間に設定されている。
【００３３】
照明用制御装置１１は、タイマ１１ｂ３を通じた計測時間が日没不判定時間Ｔｃに達したと判断したとき、そのタイマ１１ｂ３をリセットするとともに、その後一定周期毎に照度センサ１３を通じて、照度レベルＬｓが暗明検出用しきい値Ｔｈ１以下となるか否かを判断する。
【００３４】
照明用制御装置１１は、時刻ｔａ５において、照度レベルＬｓが暗明検出用しきい値Ｔｈ１以下となったと判断すると、上記時刻ｔａ２と同様に（ａ）〜（ｄ）の制御を順に行う。以下、相違点のある（ｂ）についてのみ説明する。
【００３５】
（ｂ）時刻ｔａ５においては、上記（ｄ）の処理によりタイマフラグが「０」であるため、新たな点灯時間Ｔ２を算出するために、メモリ１１ａに記憶される点灯時間Ｔ１に、メモリ１１ａに記憶される調整時間Ｔαを足し合わせる。従って、点灯時間Ｔ２は、前回（前日）に設定された点灯時間Ｔ１より調整時間Ｔαだけ長くなる。これにより、点灯時間Ｔ２をより適切な時間（日没から日出までの時間）とすることができる。例えば、日没及び日出の時間が前日と同じであれば、次の点灯時間Ｔｎの終了時刻は日出の時間となる。そして、タイマ１１ｂ１を通じて時刻ｔａ５からの経過時間の計測を開始する。
【００３６】
照明用制御装置１１は、時刻ｔａ５からの経過時間が点灯時間Ｔ２に達するまで照度レベルＬｓを認識せず、計測時間が点灯時間Ｔ２に達したとき（図２（ｂ）の時刻ｔａ６）、上記時刻ｔａ３と同様に（ｅ）の灯具１２の消灯制御を行う。以下、相違点のある（ｆ）の制御について説明する。
【００３７】
（ｆ）図２（ｂ）に示すように、時刻ｔａ６においては、照度レベルＬｓが暗明検出用しきい値Ｔｈ１以上である旨判断すると、メモリ１１ａに記憶されるタイマフラグを「１」に維持する。なお、点灯時間Ｔｎ（Ｔ２）が経過したとき、照度レベルＬｓが暗明検出用しきい値Ｔｈ１以上である旨判断すると、上記（ｇ）の調整時間Ｔα計測の制御を行わない。
【００３８】
照明用制御装置１１は、時刻ｔａ６以降であって、かつ日没不判定時間Ｔｃが経過した後、照度センサ１３を通じて、照度レベルＬｓが暗明検出用しきい値Ｔｈ１以下となるか否かを判断する。照明用制御装置１１は、時刻ｔａ７において、照度レベルＬｓが暗明検出用しきい値Ｔｈ１以下となったと判断すると、上記時刻ｔａ２と同様の（ａ）〜（ｄ）の制御を順に行う。以下、相違点のある（ｂ）及び（ｄ）の制御についてのみ説明する。
【００３９】
（ｂ）時刻ｔａ７においては、タイマフラグが「１」であるため、メモリ１１ａに記憶される点灯時間Ｔ２から、上記メモリ１１ａに記憶される調整時間Ｔβ（定数）を差し引いて新たな点灯時間Ｔ３を算出する。そして、タイマ１１ｂ１を通じて時刻ｔａ７からの経過時間の計測を開始する。
【００４０】
（ｄ）タイマフラグを「１」に維持する。
点灯時間Ｔ３は、前回（前日）に設定された点灯時間Ｔ２より調整時間Ｔβだけ短くなる。ここで、前日の点灯時間Ｔ２は、日出（照度レベルＬｓが暗明検出用しきい値Ｔｈ１に達したとき）を超えて設定されている。従って、今回の点灯時間Ｔ３が前日の点灯時間Ｔ２より短く設定されることで、その点灯時間Ｔ３（正確にはその終了時刻）を日出の時間に合わせることができる。
【００４１】
照明用制御装置１１は、上記同様の制御を毎日行う。
以上、説明した実施形態によれば、以下の効果を奏することができる。
（１）照明用制御装置１１は、照度レベルＬｓが暗明検出用しきい値Ｔｈ１以下となったときから点灯時間Ｔｎに亘って照度センサ１３の検出結果に関わらず灯具１２を点灯する。よって、点灯時間Ｔｎ、すなわち夜間において、照度センサ１３が例えば車のヘッドライト等の外乱光を受けた場合であっても消灯されることが防止される。
【００４２】
また、照明用制御装置１１は、点灯時間Ｔｎが経過したときに認識した照度レベルＬｓが暗明検出用しきい値Ｔｈ１未満である旨判断すると、今回の点灯時間Ｔｎは実際の日没から日出までの時間に対して短いとして、次回に照度レベルＬｓが暗明検出用しきい値Ｔｈ１以下となったとき（日没判定時）からの点灯時間Ｔｎを調整時間Ｔαだけ長く設定する。ただし、調整時間Ｔαが８時間を超える場合は８時間を最大とする。照明用制御装置１１は、点灯時間Ｔｎが経過したときに認識した照度レベルＬｓが暗明検出用しきい値Ｔｈ１以上である旨判断すると、今回の点灯時間Ｔｎは実際の日没から日出までの時間に対して長いとして、次回の日没判定時からの点灯時間Ｔｎを調整時間Ｔβだけ短く設定する。これにより、季節や天気に応じて変化する日没時間及び日出時間に応じた点灯時間Ｔｎが設定される。以上により、より日没時間及び日出時間に応じた点灯制御が可能となる。
【００４３】
（２）点灯時間Ｔｎが実際の日没から日出までの時間に対して短いことによって、その点灯時間Ｔｎが経過したときに認識した照度レベルＬｓが暗明検出用しきい値Ｔｈ１未満である場合には、点灯時間Ｔｎが経過したときから照度レベルＬｓが暗明検出用しきい値Ｔｈ１に達するまで（実際の日出まで）の調整時間Ｔαを計測する。次回の点灯時間Ｔｎ（例えば点灯時間Ｔ２）を、今回の点灯時間Ｔｎ（例えば点灯時間Ｔ１）に、当該計測した調整時間Ｔαを足し合わせた時間とすることで、次回の点灯時間Ｔｎの終了時刻を日出の時間に合わせることができる。
【００４４】
（３）照明用制御装置１１は、日没に伴い照度レベルＬｓが暗明検出用しきい値Ｔｈ１以下となった場合には、そのときから日没不判定時間Ｔｃを経過するまで、たとえ照度レベルＬｓが再度暗明検出用しきい値Ｔｈ１以下となっても日没ではないとして、灯具１２を点灯しない。よって、照明装置１０の誤点灯が抑制される。
【００４５】
（４）照明用制御装置１１は、点灯時間Ｔｎにおいては照度センサ３３を通じて照度を監視しない。よって、点灯時間Ｔｎにおける照明用制御装置１１の照度監視の処理に要する電力が不要となる。
【００４６】
（５）調整時間Ｔαには上限（本例では８時間）が設定されている。ここで、照明装置１０を設置した直後には機器の動作確認が施工者によって行われる。動作確認としては、手などで照度センサ３３を覆って擬似的に夜間と認識させて（検出される照度レベルＬｓを暗明検出用しきい値Ｔｈ１以下とする）、灯具１２を点灯させることが想定される。例えば昼の１２時に上記動作確認を行った場合、１２時から点灯時間Ｔ１（例えば８時間）が経過したとき（２０時）に調整時間Ｔαの計測が開始される。このような場合であっても、調整時間Ｔαは上限を超えて設定されることはない。このため、過度に長い調整時間Ｔαが設定されること、ひいては点灯時間Ｔｎから調整時間Ｔβが連日差し引かれることを通じて適切な点灯時間Ｔｎに設定されるまでの期間が長期化することが抑制される。
【００４７】
（第２の実施形態）
以下、本発明の第２の実施形態について図３及び図４（ａ），（ｂ）を参照して説明する。この実施形態の照明装置は、商用電源５０との間に接続される光電式点滅器とともに照明システムを構成している点、並びに調整時間Ｔαが定数である点が上記第１の実施形態と異なっている。以下、第１の実施形態との相違点を中心に説明する。
【００４８】
図３に示すように、照明システム８は、照明装置１０と、光電式点滅器３０とを備える。光電式点滅器３０は、点滅器用制御装置３１と、スイッチ３２と、照度センサ３３とを備える。
【００４９】
スイッチ３２は、商用電源５０と照明装置１０の電源装置１５とをつなぐ電力線上に位置する。スイッチ３２がオン状態となると商用電源５０から照明装置１０に電力が供給されるとともに、オフ状態となると商用電源５０から照明装置１０への電力経路が遮断される。
【００５０】
点滅器用制御装置３１は不揮発性のメモリ３１ａを備え、そのメモリ３１ａには日没検出用しきい値Ｔｈ２及び日出検出用しきい値Ｔｈ３が記憶されている。
照度センサ３３は、周囲の照度レベルＬｓを検出し、その検出結果を点滅器用制御装置３１に出力する。
【００５１】
以下、光電式点滅器３０の動作も含めた照明用制御装置１１による灯具１２の点灯制御について図４（ａ），（ｂ）のグラフを参照しつつ詳細に説明する。なお、本実施形態においては、日没検出用しきい値Ｔｈ２及び日出検出用しきい値Ｔｈ３は、暗明検出用しきい値Ｔｈ１より小さい値に設定されている。
【００５２】
図４（ａ）に示すように、点滅器用制御装置３１は、照度センサ３３からの検出結果に基づき照度レベルＬｓを認識し、時刻ｔｂ１において、その照度レベルＬｓが日没検出用しきい値Ｔｈ２以下となったと判断したとき、スイッチ３２をオン状態とする。これにより、照明装置１０がオン状態となる。
【００５３】
照明用制御装置１１は、オン状態となると、第１の実施形態における時刻ｔａ１において行った初期設定をした後に、照度レベルＬｓが日没検出用しきい値Ｔｈ２以下である旨判断すると、第１の実施形態における時刻ｔａ２で実行した（ａ）〜（ｄ）と同一の制御を順に行う。これにより、点灯時間Ｔ１が設定される。
【００５４】
照明用制御装置１１は、時刻ｔｂ１からの経過時間が点灯時間Ｔ１に達するまで照度レベルＬｓを認識せず、計測時間が点灯時間Ｔ１に達したとき（時刻ｔｂ２）、第１の実施形態の時刻ｔａ３で実行した（ｅ）及び（ｆ）と同一の制御を行う。すなわち、本実施形態では、調整時間Ｔαの計測を行わない。そして、光電式点滅器３０の点滅器用制御装置３１は、時刻ｔｂ３において、照度レベルＬｓが日出検出用しきい値Ｔｈ３以上となったと判断すると、スイッチ３２をオフ状態とする。これにより、照明装置１０もオフ状態となる。
【００５５】
点滅器用制御装置３１は、時刻ｔｂ３以降、一定周期毎に照度レベルＬｓが日没検出用しきい値Ｔｈ２以下となるか否かを判断する。そして、点滅器用制御装置３１は、時刻ｔｂ４において、照度レベルＬｓが日没検出用しきい値Ｔｈ２以下となったと判断すると、照明装置１０の電源をオン状態とする。照明用制御装置１１は、時刻ｔｂ４においてオン状態となると、上記時刻ｔｂ１と同様に初期設定、（ａ）〜（ｄ）を順に行う。（ｂ）の処理時に、時刻ｔｂ２の（ｆ）の処理によりタイマフラグは「０」であるため、新たに設定される点灯時間Ｔ２は点灯時間Ｔ１より調整時間Ｔαだけ長い。この調整時間Ｔαは、本実施形態においては定数である。
【００５６】
図４（ｂ）に示すように、照明用制御装置１１は、時刻ｔｂ４からの経過時間が点灯時間Ｔ２に達するまでは照度レベルＬｓを認識せず、計測時間が点灯時間Ｔ２に達するのを待つ。本例では、点灯時間Ｔ２が経過する前に、点滅器用制御装置３１は時刻ｔｂ５において照度レベルＬｓが日出検出用しきい値Ｔｈ３以上となったと判断してスイッチ３２をオフ状態とする。よって、照明用制御装置１１（照明装置１０）は点灯時間Ｔ２の経過を待たずにタイマフラグが「１」に維持されたまま電源がオフ状態とされる（強制終了）。
【００５７】
点滅器用制御装置３１は、時刻ｔｂ５以降であって、一定周期毎に照度レベルＬｓが日没検出用しきい値Ｔｈ２以下となるか否かを判断する。そして、点滅器用制御装置３１は、時刻ｔｂ６において、照度レベルＬｓが日没検出用しきい値Ｔｈ２以下となったと判断すると、照明装置１０の電源をオン状態とする。照明用制御装置１１は、時刻ｔｂ６においてオン状態となると、上記時刻ｔｂ１と同様の初期設定、（ａ）〜（ｄ）を順に行う。この（ｂ）の処理時においては、照明用制御装置１１は、タイマフラグが「１」であるため、新たに設定される点灯時間Ｔ３は点灯時間Ｔ２より調整時間Ｔβだけ短い。
【００５８】
照明用制御装置１１は、上記同様の制御を毎日行う。
以上、説明した実施形態によれば、以下の効果を奏することができる。
（６）一般的な光電式点滅器３０を商用電源５０及び照明装置１０間に設けた場合であっても、光電式点滅器３０のスイッチ３２がオン状態とされる期間においては照明装置１０を動作させることができる。よって、光電式点滅器３０を設けた場合であっても、照明装置１０は第１の実施形態と同様の作用効果を奏することができる。
【００５９】
（７）タイマフラグは、照度レベルＬｓが日没検出用しきい値Ｔｈ２以下となったとき（時刻ｔｂ１，ｔｂ４，ｔｂ６）に「１」とされる。よって、点灯時間Ｔｎが長いことにより、その時刻以降の経過時間が点灯時間Ｔｎに達する前に照明装置１０が強制終了された場合であっても、タイマフラグは「１」に維持される。このため、次の日の点灯時間Ｔｎは前日より短く設定される。これにより、日没時間及び日出時間に応じた点灯時間Ｔｎが設定される。
【００６０】
なお、上記実施形態は、これを適宜変更した以下の形態にて実施することができる。
・上記両実施形態においては、タイムフラグは１桁の２進数で表されていたが、２桁の２進数で表してもよい。この場合、照明用制御装置１１は、点灯時間Ｔｎの経過時に照度レベルＬｓが暗明検出用しきい値Ｔｈ１と同一のときには、同一である旨のタイムフラグとしてもよい。照明用制御装置１１は、次回の点灯時間Ｔｎの算出時に、当該同一である旨のタイムフラグであると認識すると、前回と同じ時間の点灯時間Ｔｎを設定する。これにより、点灯時間Ｔｎの経過時に照度レベルＬｓが暗明検出用しきい値Ｔｈ１と同一の場合、すなわち、今回の点灯時間Ｔｎが適切な場合には、その適切な点灯時間Ｔｎが維持される。
【００６１】
・第２の実施形態において、日没検出用しきい値Ｔｈ２及び日出検出用しきい値Ｔｈ３は、暗明検出用しきい値Ｔｈ１より小さい値に設定されていた。しかし、日没検出用しきい値Ｔｈ２及び日出検出用しきい値Ｔｈ３と、暗明検出用しきい値Ｔｈ１との大小関係はこれに限らない。
【００６２】
例えば、図５に示すように、暗明検出用しきい値Ｔｈ１を日没検出用しきい値Ｔｈ２及び日出検出用しきい値Ｔｈ３間に設定してもよい。この場合、第２の実施形態と異なって、点灯時間Ｔｎの経過時（時刻ｔｃ１）の照度レベルＬｓが暗明検出用しきい値Ｔｈ１以上となることがある。この場合には、第１の実施形態と同様に、照明用制御装置１１は、点灯時間Ｔｎの経過時（時刻ｔｃ１）の照度レベルＬｓが暗明検出用しきい値Ｔｈ１以上である旨判断すると、メモリ１１ａに記憶されるタイマフラグを「１」に維持する。他は第２の実施形態と同様である。なお、第２の実施形態においては、照度レベルＬｓが暗明検出用しきい値Ｔｈ１以上となる前に日出検出用しきい値Ｔｈ３以上となって強制終了されるため、点灯時間Ｔｎの経過時（時刻ｔｃ１）の照度レベルＬｓが暗明検出用しきい値Ｔｈ１以上となることはない。
【００６３】
また、図６に示すように、暗明検出用しきい値Ｔｈ１を日没検出用しきい値Ｔｈ２及び日出検出用しきい値Ｔｈ３より小さく設定してもよい。この場合、点滅器用制御装置３１は、時刻ｔｄ１において、照度レベルＬｓが日没検出用しきい値Ｔｈ２以下となったと判断すると、照明装置１０の電源をオン状態とする。照明用制御装置１１は、電源オン状態となると初期設定を行った後に、照度レベルＬｓが暗明検出用しきい値Ｔｈ１以下となるのを待つ。照明用制御装置１１は、照度レベルＬｓが暗明検出用しきい値Ｔｈ１以下となったと判断すると、第１の実施形態の時刻ｔａ２と同一の（ａ）〜（ｄ）を行う。他は第２の実施形態と同様である。
【００６４】
上記のように、暗明検出用しきい値Ｔｈ１、日没検出用しきい値Ｔｈ２及び日出検出用しきい値Ｔｈ３の大小関係を何れの順番とした場合であっても、第２の実施形態と同様の作用効果が得られる。
【００６５】
・第２の実施形態においては、日没検出用しきい値Ｔｈ２及び日出検出用しきい値Ｔｈ３は異なる値に設定されていたが、これらしきい値は同一値に設定されていてもよい。
・第１の実施形態においては、調整時間Ｔαは変数であったが、第２の実施形態と同様に調整時間Ｔαを定数としてもよい。
【００６６】
・上記両実施形態においては、日没判定されない日没不判定時間Ｔｃが設定されていたが、この日没不判定時間Ｔｃを省略してもよい。この場合、タイマ１１ｂ３を省略できる。
【００６７】
・上記両実施形態においては、点灯時間Ｔｎにおいては常に灯具１２が点灯されていたが、点灯時間Ｔｎにおいて灯具１２を調光点灯してもよい。また、照明装置１０に新たに赤外線センサ等の近接センサを設けてもよい。照明用制御装置１１は、点灯時間Ｔｎにおいて近接センサを通じて車又は人の接近を検知したとき、灯具１２を消灯状態又は調光点灯状態から点灯状態としてもよい。
【符号の説明】
【００６８】
１０…照明装置、１１…照明用制御装置（照明装置用制御装置）、１１ａ…メモリ、１１ｂ１，１１ｂ２，１１ｂ３…タイマ、１２…灯具、１３…照度センサ、１５…電源装置、３０…光電式点滅器、３１…点滅器用制御装置、３１ａ…メモリ、３２…スイッチ、３３…照度センサ、５０…商用電源。
【図１】
0005893480.tif 000002
【図２】
0005893480.tif 000003
【図３】
0005893480.tif 000004
【図４】
0005893480.tif 000005
【図５】
0005893480.tif 000006
【図６】
0005893480.tif 000007